(57)【要約】      （修正有）【課題】衛生性を向上し使用者の満足度を上げる、化粧品容器を提供する。【解決手段】一側に開口が設けられる保存部１０と、上記保存部の開口に結合され、内部に向かって延長される第１アプリケーター２２と上記保存部の外部に向かって延長される第２アプリケーターを有する塗布部２０と、上記保存部の反対側に設けられて結合された塗布部の第２アプリケーターをカバーする保管部３０と、を含み、第１アプリケーター及び第２アプリケーターは、延長される長さが互いに異なるように設けられ、保存部及び保管部は、異なる長さの第１アプリケーター及び第２アプリケーターが収納できる高さであり、第１アプリケーターが保存部内に収容されるとき第２アプリケーターは保管部に保管され、逆に第２アプリケーターが保存部内に収容されるときは第１アプリケーターが保管部に保管されるようにする。【選択図】図１
0003234886.tif 000002
【実用新案登録請求の範囲】
【請求項１】
化粧品を保存し、一側に開口が設けられる保存部と、
前記保存部の開口に結合され、前記保存部の内部に向かって延長される第１アプリケーターと前記保存部の外部に向かって延長される第２アプリケーターとを有する塗布部と、
前記保存部の反対側に設けられ、前記保存部に結合された前記塗布部の前記第２アプリケーターをカバーする保管部と、を含み、
前記第１アプリケーター及び前記第２アプリケーターは、
延長される長さが互いに異なるように設けられ、
前記保存部及び前記保管部は、
異なる長さの前記第１アプリケーター及び前記第２アプリケーターを収納できる高さであり、前記第１アプリケーターが前記保存部内に収容されるとき前記第２アプリケーターは前記保管部に保管され、逆に前記第２アプリケーターが前記保存部内に収容されるときは前記第１アプリケーターが前記保管部に保管されるようにすることを特徴とする化粧品容器。
【請求項２】
前記第１アプリケーター及び前記第２アプリケーターのうち相対的に長さの長い何れか１つは、
前記保存部の内部において下部まで延長される長さであり、
前記第１アプリケーター及び前記第２アプリケーターのうち相対的に長さの短い他の１つは、
前記保存部の内部において中間部まで延長される長さであることを特徴とする請求項１に記載の化粧品容器。
【請求項３】
前記保管部は、内部が空いている空間を形成し一側に開口が設けられ、
前記塗布部は、両側が前記保存部の開口または前記保管部の開口に選択的に結合されるように、一側と他側が対称となるように設けられる結合部を含み、
前記結合部の一側及び他側に前記第１アプリケーター及び前記第２アプリケーターが延長されることを特徴とする請求項１に記載の化粧品容器。
【請求項４】
前記保存部は、
前記第１アプリケーター及び前記第２アプリケーターのうち前記保存部の内部から引き出される何れか１つに付いた化粧品を取り除くためのワイパーが前記開口に設けられることを特徴とする請求項１に記載の化粧品容器。
【請求項５】
前記保管部の開口は、
外側断面は前記保存部の開口と同じであるが、内側断面は前記保存部の開口より相対的に大きく設けられ、化粧品を取り除くためのワイパーが設けられないことを特徴とする請求項３に記載の化粧品容器。
【請求項６】
前記結合部は、
前記保管部から前記保存部に向かって連通し、前記第１アプリケーター及び前記第２アプリケーターのうち前記保管部に保管されている何れか１つに付いた化粧品が前記保存部に伝達されるようにするホールを有することを特徴とする請求項３に記載の化粧品容器。
【請求項７】
前記保管部の開口は、
外側断面及び内側断面が前記保存部の開口より相対的に大きく設けられ、化粧品を取り除くためのワイパーが設けられないことを特徴とする請求項３に記載の化粧品容器。
【請求項８】
前記結合部は、
内側が前記保存部の開口をカバーするように前記保存部に結合され、外側が前記保管部の開口によりカバーされて前記保管部に結合されることを特徴とする請求項３に記載の化粧品容器。
【請求項９】
前記結合部は、
内面に前記保存部に結合される第１結合具が設けられ、外面に前記保管部に結合される第２結合具が設けられ、
前記第１結合具及び前記第２結合具のうち何れか１つは、
前記結合部の両側に対称となるように設けられ、
前記第１結合具及び前記第２結合具のうち他の１つは、
前記結合部の中央に設けられることを特徴とする請求項３に記載の化粧品容器。
【請求項１０】
前記保管部は、
不透明な材質からなることを特徴とする請求項１に記載の化粧品容器。
【考案の詳細な説明】
【技術分野】
【０００１】
本考案は化粧品容器に関する。
【背景技術】
【０００２】
一般的に、人は自分を美しく飾ろうとする欲望がある。従って、人は肌を含む髪、爪、唇などを様々な方法で飾ることで満足を感じる。
【０００３】
このような人の欲求を満たすために数多くの化粧品が使用されており、一般的に広く利用されている化粧品は塗布部位や組成などに応じて構造及び伝達方式が異なることができる。
【０００４】
例えば、固形化粧品の場合、コンパクトに入れられて販売され、使用者がパフに化粧品を付けてから肌に塗る方式を用いることができる。また、流体化粧品の場合は、瓶やチューブなどに入れられて販売されてもよく、使用者はアプリケーターまたは手を利用して化粧品を肌に伝達する方式を用いる。
【０００５】
また、容器に保存されている化粧品が肌に直接吐出されるように容器の吐出口を肌に位置させる方式が用いられてもよく、その他にも化粧品の種類に応じて様々な伝達方式が利用されてきた。
【０００６】
その中でも、流体化粧品を伝達するためにアプリケーターを利用する場合、アプリケーターがそのまま蓋になる形状の製品が使用されており、これは液状化粧品であるリップグロス、マスカラなどに広く利用されている。
【０００７】
しかし、従来は、肌などに接触したアプリケーターが化粧品を使い切るまで化粧品中に浸漬され保管されるしかなく、衛生性が劣り、トラブルを起こし得るという問題があった。
【考案の概要】
【考案が解決しようとする課題】
【０００８】
本考案は上記のような従来技術の問題点を解決するために創出されたものであり、本考案の目的は塗布のためのチップを複数設け、一部のチップは化粧品に浸漬させずに保管することで、１つのチップを一定期間使用した後に新たなチップを使用することができ、衛生性を向上させた化粧品容器を提供することである。
【課題を解決するための手段】
【０００９】
本考案の一側面による化粧品容器は、化粧品を保存し、一側に開口が設けられる保存部と、上記保存部の開口に結合され、上記保存部の内部に向かって延長される第１アプリケーターと上記保存部の外部に向かって延長される第２アプリケーターを有する塗布部と、上記保存部の反対側に設けられ、上記保存部に結合された上記塗布部の上記第２アプリケーターをカバーする保管部と、を含み、上記第１アプリケーター及び上記第２アプリケーターは、延長される長さが互いに異なるように設けられ、上記保存部及び上記保管部は、異なる長さの上記第１アプリケーター及び上記第２アプリケーターが収納できる高さであり、上記第１アプリケーターが上記保存部内に収容されるとき上記第２アプリケーターは上記保管部に保管され、逆に上記第２アプリケーターが上記保存部内に収容されるときは上記第１アプリケーターが上記保管部に保管されるようにする。
【００１０】
具体的に、上記第１アプリケーター及び上記第２アプリケーターのうち相対的に長さの長い何れか１つは、上記保存部の内部において下部まで延長される長さであり、上記第１アプリケーター及び上記第２アプリケーターのうち相対的に長さの短い他の１つは、上記保存部の内部において中間部まで延長される長さであってもよい。
【００１１】
具体的に、上記保管部は、内部が空いている空間を形成し一側に開口が設けられ、上記塗布部は、両側が上記保存部の開口または上記保管部の開口に選択的に結合されるように、一側と他側が対称となるように設けられる結合部を含み、上記結合部の一側及び他側に上記第１アプリケーター及び上記第２アプリケーターが延長されることができる。
【００１２】
具体的に、上記保存部は、上記第１アプリケーター及び上記第２アプリケーターのうち上記保存部の内部から引き出される何れか１つに付いた化粧品を取り除くためのワイパーが上記開口に設けられてもよい。
【００１３】
具体的に、上記保管部の開口は、外側断面は上記保存部の開口と同じであるが、内側断面は上記保存部の開口より相対的に大きく設けられ、化粧品を取り除くためのワイパーが設けられなくてもよい。
【００１４】
具体的に、上記結合部は、上記保管部から上記保存部に向かって連通し、上記第１アプリケーター及び上記第２アプリケーターのうち上記保管部に保管されている何れか１つに付いた化粧品が上記保存部に伝達されるようにするホールを有することができる。
【００１５】
具体的に、上記保管部の開口は、外側断面及び内側断面が上記保存部の開口より相対的に大きく設けられ、化粧品を取り除くためのワイパーが設けられなくてもよい。
【００１６】
具体的に、上記結合部は、内側が上記保存部の開口をカバーするように上記保存部に結合され、外側が上記保管部の開口によりカバーされて上記保管部に結合されてもよい。
【００１７】
具体的に、上記結合部は、内面に上記保存部に結合される第１結合具が設けられ、外面に上記保管部に結合される第２結合具が設けられ、上記第１結合具及び上記第２結合具のうち何れか１つは、上記結合部の両側に対称となるように設けられ、上記第１結合具及び上記第２結合具のうち他の１つは、上記結合部の中央に設けられてもよい。
【００１８】
具体的に、上記保管部は不透明な材質からなってもよい。
【考案の効果】
【００１９】
本考案による化粧品容器は、複数の塗布チップを備え、何れか１つのチップは化粧品に浸漬されて保管され、他の１つのチップは化粧品と分離された空間に外部と隔離された状態で保管されるようにすることで、１つのチップを一定期間使用した後に新たなチップを使用することができ、衛生性を大幅に向上させ、使用者の満足度を上げることができる。
【００２０】
また、本考案による化粧品容器は、複数のチップの長さを異ならせて化粧品の残量に応じてそれに合う長さのチップを使用することで、長さの長いチップに化粧品が過度に付く問題を解決することができる。
【図面の簡単な説明】
【００２１】
【図１】本考案の第１実施例による化粧品容器の斜視図である。
【図２】本考案の第１実施例による化粧品容器の断面図である。
【図３】本考案の第１実施例による化粧品容器の使用方法を示す図である。
【図４】本考案の第２実施例による化粧品容器の断面図である。
【図５】本考案の第２実施例による化粧品容器の使用方法を示す図である。
【考案を実施するための形態】
【００２２】
本考案の目的、特定の利点及び新規な特徴は、添付の図面と関わる以下の詳細な説明と好ましい実施例により更に明らかになるだろう。本明細書では、各図面の構成要素に参照番号を付するにおいて、同じ構成要素に限ってはたとえ他の図面上に表示されても可能な限り同じ番号を付したことに留意すべきである。また、本考案を説明するに当たり、係わる公知技術に対する具体的な説明が本考案の要旨を不要に不明確にすると判断される場合は、その詳細な説明を省略する。
【００２３】
以下、添付の図面を参照して本考案の好ましい実施例を詳細に説明する。
【００２４】
図１は本考案の第１実施例による化粧品容器の斜視図であり、図２は本考案の第１実施例による化粧品容器の断面図であり、図３は本考案の第１実施例による化粧品容器の使用方法を示す図である。
【００２５】
図１〜図３を参照すると、本考案の第１実施例による化粧品容器１は、保存部１０、塗布部２０、保管部３０を含む。
【００２６】
保存部１０は化粧品Ｐを保存する。保存部１０が保存する化粧品Ｐはアプリケーター２２、２３の使用を前提にする化粧品Ｐであってもよく、例えば、リップグロス、マスカラなどの製品であってもよい。
【００２７】
このような化粧品Ｐは液相からなってもよいが、アプリケーター２２、２３を介して必要な塗布部位に伝達されるパウダーなども可能である。即ち、本考案の化粧品Ｐは液相または固相などに限らず、組成物や用途も制限されない。
【００２８】
保存部１０は化粧品Ｐの残量が使用者に分かるように半透明または透明な材質からなってもよく、底面の少なくとも一部が平らに設けられて自立できるようにしてもよい。
【００２９】
例えば、保存部１０は底面をなす下端から上端までの断面が比較的一定な柱状に設けられるか、または図１に示したように上端より下端の断面が拡張されて安定的な自立を具現する円錐台状などに設けられてもよい。
【００３０】
保存部１０には一側に開口１１が設けられる。例えば、保存部１０の上端には化粧品Ｐが流出入できるように開口１１が設けられ、開口１１は後述する塗布部２０によって開閉されてもよい。
【００３１】
開口１１は保存部１０の口をなすように設けられ、開口１１の外面には塗布部２０との締結のためのネジ山（符号不図示）が形成されてもよい。勿論、開口１１の外面には塗布部２０との締結を可能にする多様な構造が適用されてもよく、例えば、塗布部２０を締りばめするための丸枠がネジ山と一緒にまたはネジ山の代わりに設けられてもよい。
【００３２】
開口１１の内面にはワイパー１２が設けられてもよい。ワイパー１２はアプリケーター２２、２３が保存部１０の内部から外部に引き出されるとき、アプリケーター２２、２３に付いた化粧品Ｐを取り除き、過度な量の化粧品Ｐがアプリケーター２２、２３を介して塗布部位に伝達されないようにすることができる。
【００３３】
当該ワイパー１２にはアプリケーター２２、２３が貫通する孔（符号不図示）が形成され、孔を介してアプリケーター２２、２３の先端が通過するとき、先端に付いた化粧品Ｐを取り除くことができる。ワイパー１２は、効果的に化粧品Ｐを取り除くとともにアプリケーター２２、２３を引き出すことができるように軟質の材質からなってもよい。
【００３４】
このようなワイパー１２は公知の構成を使用してもよいため、より詳細な説明は省略する。
【００３５】
塗布部２０は、保存部１０の開口１１に結合される結合部２１及びアプリケーター２２、２３を有する。結合部２１は一側が保存部１０の開口１１に結合される構成であり、保存部１０の開口１１の形状に応じてネジ結合、締まりばめ結合、磁性結合、接着結合などの様々な結合方式を使用することができる。
【００３６】
例えば、図２に示したように、保存部１０の開口１１の外面にネジ山が設けられ、結合部２１は保存部１０の開口１１に結合するためのネジ山状の第１結合具２１１が内面に設けられてもよいが、第１結合具２１１の形状はこれに限定しない。
【００３７】
また、結合部２１は、第１結合具２１１が設けられる一側の反対側である他側に、後述する保管部３０の開口３１と結合するための第２結合具２１２が設けられてもよい。第２結合具２１２は第１結合具２１１で説明したように保管部３０の開口３１の形状に対応する構造で設けられる。
【００３８】
例えば、図２のように保存部１０の開口１１と保管部３０の開口３１がともに外面にネジ山を有する類似する形状である場合、第１結合具２１１と第２結合具２１２は実質的に同じ形状に設けられ、結合部２１は一側と他側が対称に設けられることができる。
【００３９】
後で詳細に説明するが、本考案の塗布部２０は、一側が保存部１０に結合され他側に保管部３０が結合される第１状態（図２）から、一側に保管部３０が結合され他側が保存部１０に結合される第２状態（図３の右側）に切り替わるか、またはその逆に切り替わってもよい。即ち、第１結合具２１１は保存部１０の開口１１に結合されるか、または保管部３０の開口３１に結合されてもよく、第２結合具２１２も保管部３０の開口３１に結合されるか、保存部１０の開口１１に結合されることができる。
【００４０】
当該結合部２１の一側及び他側にはアプリケーター２２、２３が延長されてもよい。アプリケーター２２、２３は化粧品Ｐを塗布部位に伝達するための構成であって、一定の長さに延長される棒状であり、先端にはブラシ、フロッキングが被せられた面状などの塗布チップ（符号不図示）が別途設けられてもよい。
【００４１】
但し、本考案において、アプリケーター２２、２３は一定の棒状からなる全ての形状を含むことができ、先端の形状や材質は化粧品Ｐの用途や組成に応じて異なってもよいため、特に限定しない。
【００４２】
塗布部２０は少なくとも１対のアプリケーター２２、２３を備えることができる。例えば、アプリケーター２２、２３は第１アプリケーター２２と第２アプリケーター２３を含んで備えられてもよく、第１アプリケーター２２と第２アプリケーター２３は塗布部２０の中心を基準として互いに反対側に延長されることができる。
【００４３】
例えば、図２に示したように、結合部２１から保存部１０に結合される一側に（保存部１０の内部に向かって）第１アプリケーター２２が延長され、結合部２１から保管部３０が結合される他側に（保存部１０の外側に向かって）第２アプリケーター２３が延長されてもよい。従って、第１アプリケーター２２は、先端が保存部１０の内部に保存されている化粧品Ｐ中に浸漬されていてもよく、一方で、第２アプリケーター２３は、先端が保管部３０内の空いている空間に保管されていてもよい。
【００４４】
第１アプリケーター２２及び第２アプリケーター２３は結合部２１から延長される長さが互いに異なるように設けられてもよい。例えば、図２において、保存部１０に収容される第１アプリケーター２２は、保管部３０内に保管される第２アプリケーター２３より短い長さで設けられてもよい。
【００４５】
但し、第１アプリケーター２２と第２アプリケーター２３は、先端の塗布チップが同じ材質と同じ形状からなってもよく、その理由は、２つのアプリケーター２２、２３が保存部１０に保存されている１つの化粧品Ｐを使用するように設けられるからである。
【００４６】
１つの化粧品Ｐを使用する過程で異なる形状の塗布チップが求められる場合を考慮し、第１アプリケーター２２と第２アプリケーター２３が異なる材質や形状の塗布チップを備えることも勿論できる。
【００４７】
例えば、化粧品Ｐを使用する過程において、化粧の初めの段階に好ましい形状の塗布チップは長さの短い第１アプリケーター２２に設けられ、同じ化粧品Ｐを使用する過程で、化粧の仕上げ段階などに好ましい形状の塗布チップは長さの長い第２アプリケーター２３に設けられてもよい。
【００４８】
これは、長さの短い第１アプリケーター２２で化粧品Ｐを使用することにより、保存部１０内の化粧品Ｐの残量が減少しても長さの長い第２アプリケーター２３で化粧品Ｐを円滑に伝達できるようにするためである。
【００４９】
長さの短い第１アプリケーター２２は保存部１０の内部において中間部まで延長される長さであり、長さの相対的に長い第２アプリケーター２３は保存部１０の内部において下部まで延長される長さであってもよい。但し、第２アプリケーター２３は、塗布チップの損傷を防ぐために保存部１０の内部の底面から０．５ｍｍ以上の余裕空間を設けることができる。好ましくは、長さの長い第２アプリケーター２３が保存部１０に組み立てられたとき、底面との離隔は１ｍｍ〜２ｍｍであってもよい。
【００５０】
勿論、アプリケーター２２、２３の長さは上記に限定されない。例えば、化粧品Ｐの使用サイクル及び塗布チップの推奨使用期間などを考慮してアプリケーター２２、２３の切り替えが望ましい時期を算出し、アプリケーター２２、２３の切り替え時期に予想される化粧品Ｐの残量を考慮してアプリケーター２２、２３の長さの差が決まってもよい。
【００５１】
保管部３０は保存部１０の反対側に設けられる。保管部３０は保存部１０と同様に内部空間を有する筒状に設けられてもよく、保存部１０と対称となる形状であってもよい。また、保管部３０の内部の深さは保存部１０の内部の深さと実質的に等しく設けられてもよい。
【００５２】
保管部３０は、保存部１０に結合された塗布部２０において保存部１０に収容されるアプリケーター２２、２３ではない他のアプリケーター２２、２３をカバーすることができる。例えば、塗布部２０において長さの相対的に短い第１アプリケーター２２が保存部１０内に収容された場合、塗布部２０において長さの長い第２アプリケーター２３が保管部３０内に保管されることができる。逆に、第２アプリケーター２３が化粧品Ｐを伝達するために保存部１０内に入る場合には、第１アプリケーター２２が保管部３０内に保管される。
【００５３】
即ち、保存部１０と保管部３０は、異なる長さの第１アプリケーター２２及び第２アプリケーター２３が収納できる高さであり、例えば、保存部１０及び保管部３０の内部の深さはともに長さの長い第２アプリケーター２３が収納できるように設けられる。
【００５４】
従って、第１アプリケーター２２が保存部１０に収容されるときは第２アプリケーター２３が保管部３０に保管され、逆に、第２アプリケーター２３が保存部１０内に収容されるときは第１アプリケーター２２が保管部３０に保管されることができる。
【００５５】
当該保管部３０は、アプリケーター２２、２３を化粧品Ｐとの接触なしに保管するためのものであり、化粧品Ｐを保存する保存部１０とは異なって内部に空いている空間が形成され、内部には空気が満たされていてもよい。
【００５６】
また、保管部３０に保管されるアプリケーター２２、２３を外部に露出させず美感を向上させるために、保管部３０は透明または半透明の材質からなる保存部１０とは異なって不透明な材質からなってもよく、保存部１０と同様に密閉された空間を形成することができる。
【００５７】
保管部３０は保存部１０と相応する形状に設けられ、アプリケーター２２、２３の進入のための開口３１が設けられてもよい。保管部３０の一側に設けられる開口３１は塗布部２０の結合部２１に結合されてもよい。例えば、保管部３０の開口３１の外面には保存部１０の開口１１と同じネジ山が形成されてもよく、結合部２１の第２結合具２１２により保管部３０が何れか１つのアプリケーター２２、２３を収容しながら塗布部２０に結合されることができる。
【００５８】
上述したように、結合部２１は、両側が保存部１０の開口１１または保管部３０の開口３１に選択的に結合されるように一側と他側が対称となるように設けられるため、図２のように保管部３０の開口３１が結合部２１の第２結合具２１２に締結されることも、図３に示したように保管部３０の開口３１が結合部２１の第１結合具２１１に締結されることが可能である。
【００５９】
このため、保管部３０の開口３１は保存部１０の開口１１と同じ結合構造で設けられ、同じ形状の第１結合具２１１及び第２結合具２１２が選択的に切り替わって保管部３０及び保存部１０に結合されることができる。
【００６０】
但し、保管部３０は化粧品Ｐに使用していないアプリケーター２２、２３を保管するためのもので、保管部３０の内部には化粧品Ｐが保存されていないことを考慮し、保管部３０の開口３１には化粧品Ｐを取り除くためのワイパーが設けられなくてもよい。
【００６１】
また、保管部３０の開口３１は、結合部２１と結合するための外側断面は保存部１０の開口１１と同じで、内側断面は保存部１０の開口１１より相対的に大きく設けられて、保管すべきアプリケーター２２、２３の進入が円滑にできるようにすることができる。
【００６２】
以下では、図２及び図３を参照して本考案の使用方法を説明する。
【００６３】
まず、化粧品Ｐが保存部１０内に十分に満たされている使用初期は、図２のように長さの短い第１アプリケーター２２を利用して保存部１０内の化粧品Ｐを取り出して塗布部位に伝達することができる。
【００６４】
このとき、結合部２１から第１アプリケーター２２の反対側に延長された長さの長い第２アプリケーター２３は、未使用の状態で保管部３０内に保管されていてもよい。
【００６５】
特に、本実施例では、化粧品Ｐが多く残っているときは長さの短い第１アプリケーター２２を使用するようにすることで、化粧品Ｐを全て使い切ることができる長さのアプリリーケータ（例えば、第２アプリケーター２３など）を利用する場合に使用初期にチップに化粧品Ｐが過度に付くことで発生し得る化粧時の不便を防止することができる。
【００６６】
また、使用者は、結合部２１を保存部１０の開口１１から分離するとき、第２アプリケーター２３を保管する保管部３０を把持部として使用し、第１アプリケーター２２を利用した化粧をより容易に具現することができる。
【００６７】
一方、使用期間が経過するにつれて化粧品Ｐがある程度使用され、第１アプリケーター２２では化粧品Ｐを十分に取り出せない場合、使用者は保管部３０を開けて第２アプリケーター２３を外部に引き出す。それから塗布部２０を保存部１０から分離した後、結合部２１の方向を１８０度変えて保存部１０に第２アプリケーター２３を入れ、第１アプリケーター２２を保管部３０内に保管することができる。
【００６８】
従って、図２に示したように結合部２１の第１結合具２１１に保存部１０の開口１１が結合され、第２結合具２１２に保管部３０の開口３１が結合された状態から、図３に示したように結合部２１の第１結合具２１１に保管部３０の開口３１が結合され、第２結合具２１２に保存部１０の開口１１が結合されるように切り替えることができる。
【００６９】
このとき、第１アプリケーター２２は化粧品Ｐへの使用を完了した後であるため、塗布チップに化粧品Ｐが少量残留し得るが、保管部３０が不透明な材質からなっており、使用した形跡のある第１アプリケーター２２は外部に露出されないため、美感が低下しなくて済む。
【００７０】
また、化粧品Ｐの粘度及び残量に応じて、第１アプリケーター２２の塗布チップに残っている化粧品Ｐが第１アプリケーター２２に沿って下に流れることがあるが、このとき流れる化粧品Ｐが結合部２１内に溜まっていて保管部３０を分離するときに流れ出る恐れがある。
【００７１】
従って、本実施例は、結合部２１で保管部３０から保存部１０に向かって連通し、保管部３０に保管されている何れか１つのアプリケーターに付いた化粧品Ｐが保存部１０に伝達されるようにするためのホール（不図示）を有することができる。
【００７２】
但し、第１アプリケーター２２の使用後に第２アプリケーター２３に変えて使用するとき、第１アプリケーター２２の再使用の予定がないのであれば、化粧品Ｐを全部使い切って本製品の使用が完了するまで第１アプリケーター２２は保管部３０内に保管された状態を保持するため、上記ホールは省略されてもよい。
【００７３】
即ち、上記ホールは、第１アプリケーター２２から第２アプリケーター２３に、及び第２アプリケーター２３から第１アプリケーター２２にと使用の切り替えが両方行われる場合に適用されることができ、但し、本考案が図面とは異なり、横になって保管される場合は、保管部３０に保管されているアプリケーター２２、２３に保存部１０の化粧品Ｐが逆流するのを防止するために、ホールには一方向にのみ化粧品Ｐが流れるようにするバルブ（不図示）が備えられてもよい。
【００７４】
または、ホールが形成される位置がワイパー１２の上方であってもよく、保存部１０の化粧品Ｐはアプリケーター２２、２３が貫通したワイパー１２により密閉されることができるため、ホールを介する逆流は自然に遮断されることができる。この場合、ホールを介して流れる化粧品Ｐはワイパー１２内に流入されることができる。
【００７５】
このように、本実施例では、１対のアプリケーター２２、２３を備え、化粧品Ｐの残量や化粧期間などに応じてアプリケーター２２、２３を切り替えて使用するが、何れか１つのアプリケーター２２、２３が保管部３０内に保管されるようにして不要な汚染を防止することで、衛生性を向上させることができる。
【００７６】
また、本実施例は、各アプリケーター２２、２３の使用期間が、保存部１０に保存されている化粧品Ｐを使い切る期間対比で約半分に減少するため、チップの汚染可能性が低下して衛生的な使用が可能である。
【００７７】
また、本実施例は、異なる長さのアプリケーター２２、２３を設け、長さの短い第１アプリケーター２２が先に使用されるようにして、チップにより化粧品Ｐが過度に伝達されないようにすることで、化粧品Ｐの初期使用量が過度になることを防止し、化粧品Ｐの使用期間を延長させることができる。
【００７８】
図４は本考案の第２実施例による化粧品容器の断面図であり、図５は本考案の第２実施例による化粧品容器の使用方法を示す図である。
【００７９】
以下では、本実施例が上述した実施例と比べて変わる点を中心として説明し、説明を省略する部分は上述した内容に代える。
【００８０】
図４及び図５を参照すると、本考案の第２実施例による化粧品容器１は、保管部３０と塗布部２０との結合方式が保存部１０と塗布部２０との結合方式と異なるように設けられてもよい。
【００８１】
上述した実施例の場合、塗布部２０の一側及び他側において、保存部１０及び保管部３０の結合方式が同じであるのに対し、本実施例は、塗布部２０の両側において保存部１０と保管部３０の結合方式が異なってもよい。
【００８２】
本実施例の保存部１０は上述した実施例と同じ形状の開口１１を有することができるが、本実施例の保管部３０は上述した実施例とは異なって、開口３１の外側断面及び内側断面が保存部１０の開口１１より相対的に大きく設けられ且つ上述した実施例と同様にワイパーが設けられなくてもよい。
【００８３】
この場合、保管部３０の開口３１は結合部２１の外側を取り囲むように結合されることができる。さらに、保管部３０の開口３１は少なくとも一部が保存部１０の開口１１に結合された結合部２１の一部分をカバーするように設けられてもよい。
【００８４】
この場合、結合部２１は、内側が保存部１０の開口１１をカバーするように保存部１０に結合され、外側が保管部３０の開口３１によりカバーされて保管部３０に結合されてもよい。即ち、結合部２１に保存部１０が結合される部分と保管部３０が結合される部分が互いに対称とならないように設けることができる。それでも、本実施例も上述した実施例のように、塗布部２０は両側ともに保存部１０及び保管部３０に結合できるように設けられる。
【００８５】
このため、結合部２１は、内面に保存部１０が結合される第１結合具２１１が設けられ、外面に保管部３０が結合される第２結合具２１２が設けられてもよい。具体的には、第１結合具２１１は結合部２１の両側の内面に対称となるように設けられるが、第２結合具２１２は結合部２１の中央に１つ設けられるか、結合部２１の両側の外面に対称となるように設けられることができる。
【００８６】
上述した第１実施例は、塗布部２０の一側に設けられる第１結合具２１１及び塗布部２０の他側に設けられる第２結合具２１２がそれぞれ保存部１０と保管部３０に全て結合できるように設けられるが、本実施例は、塗布部２０の両側に保存部１０と結合できる第１結合具２１１が設けられ、塗布部２０の中央に保管部３０を双方向に結合できるようにする第２結合具２１２が設けられることができる。
【００８７】
または、上述したように結合部２１の両側の内面に設けられた第１結合具２１１を介して保存部１０が結合され、結合部２１の両側の外面に設けられた第２結合具２１２を介して保管部３０が結合されてもよい。
【００８８】
即ち、本実施例は、上述した実施例とは異なり、第１結合具２１１は保存部１０との結合のためだけに使用され、第２結合具２１２は保管部３０との結合のためだけに使用されることができる。第２結合具２１２は、図面には丸枠状に設けられて保管部３０が締りばめされるように示されているが、第１結合具２１１と類似してネジ山で設けられてもよい。
【００８９】
本実施例の使用方法も上述した実施例と同じである。図４を参照すると、第１アプリケーター２２を利用して化粧品Ｐを使用してから、化粧品Ｐが減少して第１アプリケーター２２では化粧品Ｐを十分に取り出せなくなると、使用者は図５に示したようにアプリケーター２２、２３を切り替えることができる。
【００９０】
即ち、使用者は、まず、外力を利用して保管部３０を塗布部２０の結合部２１（第２結合具２１２）から分離して第２アプリケーター２３を露出させる。それから、使用者は、第１結合具２１１を介して保存部１０に結合されていた塗布部２０の結合部２１を分離して第１アプリケーター２２も露出させる。
【００９１】
その後、使用者は塗布部２０を１８０度回転させて第２アプリケーター２３を保存部１０内に入れ、第１アプリケーター２２が保管部３０に収容されるようにすることで、長さの短い第１アプリケーター２２の使用を終了し、長さの長い第２アプリケーター２３の使用を始めることができる。
【００９２】
このように、本実施例は、保存部１０と保管部３０が同じ結合構造を使用しないながらも第１アプリケーター２２及び第２アプリケーター２３の切り替えが可能な形態を具現することができ、それでも、塗布部２０を基準として一側と他側はそれぞれ保存部１０と保管部３０が全て結合できるように設けられることができる。
【００９３】
本考案は、上記で説明した実施例に限定されず、上記実施例のうち少なくとも２つ以上を組み合わせたものや、上記実施例のうち少なくとも何れか１つと公知の技術を組み合わせたものを新たな実施例として含むことができる。
【００９４】
以上、本考案を具体的な実施例を通じて詳細に説明したが、これは本考案を具体的に説明するためのもので、本考案はこれに限定されず、本考案の技術的思想内で当該分野の通常の知識を有する者によってその変形や改良が可能であることは明らかである。
【００９５】
本考案の単純な変形ないし変更は全て本考案の範囲に属し、本考案の具体的な保護範囲は添付の許請求の範囲によって明確になるだろう。
【符号の説明】
【００９６】
１  化粧品容器
１０  保存部
１１  開口
１２  ワイパー
２０  塗布部
２１  結合部
２１１  第１結合具
２１２  第２結合具
２２  第１アプリケーター
２３  第２アプリケーター
３０  保管部
３１  開口
【図１】
0003234886.tif 000003
【図２】
0003234886.tif 000004
【図３】
0003234886.tif 000005
【図４】
0003234886.tif 000006
【図５】
0003234886.tif 000007